(57)【特許請求の範囲】
【請求項１】
底壁２の外周から横断面四角形状の第１周壁３を起立する容器本体１と、上記容器本体１上面を閉塞する蓋体11とからなる納豆容器において、上記第１周壁３前壁部分の上端前縁へ、左右方向横長に設けた薬味用トレー６の第２周壁７上端後縁部を付設させて、該薬味用トレー６を容器本体１前方へ突出させ、又蓋体11の前縁からは、切取り線16を介して上記薬味用トレー６上面を閉塞する補助蓋板17を前方突設し、該補助蓋板17の前後方向中間部には該補助蓋板17を上下二つ折りする折畳み線18を横設して納豆かき混ぜ用のスティックとして使用が可能に構成したことを特徴とする合成樹脂製の納豆容器。
【請求項２】
底壁２の外周から起立する、横断面四角形状の第１周壁３上端に第１外向きフランジ４を付設した容器本体１と、上記第１外向きフランジ上面へ載置させる第２外向きフランジ14を頂板12外周に付設し、上記第１外向きフランジ４と第２外向きフランジ14との各後縁を肉薄ヒンジ19を介して連続させた、上記容器本体１上面を閉塞する蓋体11とからなる、合成樹脂材により一体成形された納豆容器において、上記第１外向きフランジ４の前縁へ、左右方向横長に設けた薬味用トレー６の第２周壁７上端の後縁部を付設させて、該薬味用トレー６を容器本体１前方へ突出させ、又蓋体第２外向きフランジ14の前端からは切り取り線16を介して上記薬味用トレー６上面を閉塞する補助蓋板17を前方突設し、該補助蓋板17の前後方向中間部には該補助蓋板17を上下重合せに二つ折りする折畳み線18を横設して納豆かき混ぜ用のスティックとして使用が可能に構成したことを特徴とする合成樹脂製の納豆容器。
【請求項３】
蓋体頂板12の外周部を、横断面Ｕ字状に、上面は溝で該溝下方は下方へ突出する張出し突部13に屈曲形成し、該張出し突部13の外周面と、容器本体第１周壁３の上部内面とに、蓋体11閉塞により上記張出し突部13が第１周壁３上部内面に嵌合されたとき、該蓋体11の閉塞状態を保持可能に形成してなる請求項１又は請求項２のいずれかに記載の納豆容器。
【請求項４】
容器本体第１周壁３の前壁部分上端縁と、薬味用トレー６の第２周壁７上端後縁部との間の連続壁に、薬味用トレー６切離し用の切取り線を横設してなる請求項１乃至請求項３のいずれかに記載の納豆容器。
【発明の詳細な説明】
【０００１】
【発明の属する技術分野】
本発明は、納豆容器に関する。
【０００２】
【従来の技術】
底壁外周から横断面四角形状の周壁を起立する容器本体の周壁後部上端縁から、該容器本体上面を開閉する蓋体を肉薄ヒンジを介して突出する、発泡合成樹脂製の納豆容器が知られている。尚上記蓋体の頂板には発酵ガス放出用の多数の少透孔が穿設されており、又容器本体内に収納された納豆上面を透明フイルムで覆い、かつ該フイルム上へは、からし、たれ等収納の小袋を載置させたものが多い。
【０００３】
【発明が解決しようとする課題】
上記従来容器は、開蓋し、たれ等収納の小袋を取出した後、上記フイルムを外し、かつ袋を破ってたれ等を容器本体内へ入れ、別に用意した箸で納豆を混ぜて食するが、たれ等収納の小袋取出し時に容器本体の周壁内面に付着した納豆の粘液が指に付着することがあり、又箸の用意がないために不便な場合があった。
【０００４】
本発明はそのような欠点を除去を目的とするもので、容器本体周壁の前部へ薬味用トレーを付設すると共に、その容器本体上面を閉塞する蓋体前部から上記トレー上面閉塞用の補助蓋板を切り取り線を介して突設しておき、該補助蓋板を納豆かき混ぜ用のスティックとして使用することが出来るよう設けたものである。
【０００５】
第１の手段として、底壁２の外周から横断面四角形状の第１周壁３を起立する容器本体１と、上記容器本体１上面を閉塞する蓋体11とからなる納豆容器において、上記第１周壁３前壁部分の上端前縁へ、左右方向横長に設けた薬味用トレー６の第２周壁７上端後縁部を付設させて、該薬味用トレー６を容器本体１前方へ突出させ、又蓋体11の前縁からは、切取り線16を介して上記薬味用トレー６上面を閉塞する補助蓋板17を前方突設し、該補助蓋板17の前後方向中間部には該補助蓋板17を上下二つ折りする折畳み線18を横設して納豆かき混ぜ用のスティックとして使用が可能に構成した。
【０００６】
第２の手段として、底壁２の外周から起立する、横断面四角形状の第１周壁３上端に第１外向きフランジ４を付設した容器本体１と、上記第１外向きフランジ上面へ載置させる第２外向きフランジ14を頂板12外周に付設し、上記第１外向きフランジ４と第２外向きフランジ14との各後縁を肉薄ヒンジ19を介して連続させた、上記容器本体１上面を閉塞する蓋体11とからなる、合成樹脂材により一体成形された納豆容器において、上記第１外向きフランジ４の前縁へ、左右方向横長に設けた薬味用トレー６の第２周壁７上端の後縁部を付設させて、該薬味用トレー６を容器本体１前方へ突出させ、又蓋体第２外向きフランジ14の前端からは切り取り線16を介して上記薬味用トレー６上面を閉塞する補助蓋板17を前方突設し、該補助蓋板17の前後方向中間部には該補助蓋板17を上下重合せに二つ折りする折畳み線18を横設して納豆かき混ぜ用のスティックとして使用が可能に構成した。
【０００７】
第３の手段として、上記第１又は第２の手段を有すると共に、蓋体頂板12の外周部を、横断面Ｕ字状に、上面は溝で該溝下方は下方へ突出する張出し突部13に屈曲形成し、該張出し突部13の外周面と、容器本体第１周壁３の上部内面とに、蓋体11閉塞により上記張出し突部13が第１周壁３上部内面に嵌合されたとき、該蓋体11の閉塞状態を保持可能に形成した。
【０００８】
第４の手段として、上記第１、第２、又は第３の手段を有すると共に容器本体第１周壁３の前壁部分上端縁と、薬味用トレー６の第２周壁７上端後縁部との間の連続壁に、薬味用トレー６切離し用の切取り線を横設した。
【０００９】
【課題を解決するための手段】
以下図面について説明すると、本発明の納豆容器は、容器本体と蓋体とを有する。
【００１０】
容器本体１は、底壁２外周から横断面四角形状の第１周壁３を起立する。それ等底壁および第１周壁の上部を除く部分は断面波板状に形成している。第１周壁上端には第１外向きフランジ４を付設することが望ましい。図示例で第１周壁は上外方へやや拡開させて設けている。第１周壁の左右両壁部と前壁部の各上部内面にはそれぞれ第１係合突条５を横設するとよい。
【００１１】
第１周壁前壁部の上端前縁へは、左右方向横長に設けた薬味用トレー６の第２周壁７の上端後縁部を付設させ、該薬味用トレー６を容器本体前方へ突出させている。該薬味用トレーは、その内部へからし収納の小袋８、たれ収納の小袋９等を収納させるものであり、よって浅皿状に設ければよい。第１周壁前壁部の上端前縁と第２周壁７の上端後縁部との間の連続壁に薬味トレー切離し用の切取り線を横設してもよい。
【００１２】
蓋体11は容器本体上面を開閉自在に閉塞するものであり、図示例においては頂板12外周部を横断面Ｕ字状に、上面は溝で、かつ溝下方は下方へ突出する張出し突部13に屈曲形成し、又その張出し突部の上端外縁から既述第１外向きフランジ４上面へ載置させる第２外向きフランジ14を突出している。上記張出し突部13は容器本体第１周壁３の上部内面へ嵌合可能に設けており、既述第１係合突条５下面へ係合させる第２係合突条15を上記張出し突部13の左右および前部外面へ付設させている。又蓋体11の前縁からは、ミシン目状等の切取り線16を介して既述薬味用トレー上面を閉塞する補助蓋板17を前方突設している。該補助蓋板はその前後方向中間部に、上下へ二つ折りする折畳み線18を有する。
【００１３】
尚上記第１、第２係合突条は、蓋体閉塞状態を保持させるものであるから、その一方を突条に、かつ他方を溝状に形成して嵌合させてもよい。又第１周壁上部内へ張出し突部13を緊密に嵌合させてその摩擦抵抗で蓋体閉塞状態を保持可能とすれば、それ等係合突条は不要である。
【００１４】
容器本体第１周壁上端の第１外向きフランジ４と蓋体の第２外向きフランジ14との各後縁は肉薄ヒンジ19を介して連続させて合成樹脂材でそれ等容器本体、薬味用トレー、蓋体、補助蓋板を一体成形させることが望ましい。合成樹脂材は発泡合成樹脂製とするとよい。
【００１５】
【発明の効果】
本発明は既述構成とするものであり、容器本体第１周壁の上端前縁へ、左右方向横長に設けた薬味用トレー６の第２周壁の上端後縁部を付設させて、該薬味用トレーを容器本体前方へ突出させ、又蓋体前縁からは薬味用トレーの上面閉塞用補助蓋板17を突設したから、各薬味入りの小袋等を容器本体内へ入れなくてよく、よってその小袋等に納豆の粘液等が付着することがなく、又上記補助蓋板17は、切り取り線16を介して蓋体前縁から突設し、かつその補助蓋板を上下二つ折りする折畳み線18を横設したから、該補助蓋板を蓋体11から切り取り、かつ二つ折りして納豆かき混ぜ用のスティックとして使用できる便利がある。
【００１６】
請求項２のように形成することで上記効果を有するほか、第１、第２外向きフランジ４、14の重ね合わせで蓋体閉塞が確実となる。
【００１７】
請求項３のように、蓋体頂板の外周部を、横断面Ｕ字状に屈曲して該外周に下方へ張出す張出し突部13を形成し、該張出し突部を容器本体第１周壁の上部内面へ嵌合させて、該蓋体閉蓋状態が保持されるよう設けることで、その閉蓋状態保持のための他の手段を設けなくともよく、又使用後、再閉蓋することで、容器本体内に残った納豆粘液から発生する臭いの発散を防止できる。
【００１８】
請求項４のように第１周壁の前壁部分上端縁と薬味用トレーの第２周壁７上端後縁部との間の連続壁に、薬味用トレー切離し用の切取り線を横設することで、そのトレーを容器本体から切離すことが出来、よって納豆かきまぜ等の際にその薬味トレーが邪魔となることがなく、又容器本体から切離された薬味用トレーを、たれ等取出し後の空となった小袋載置皿として利用できる便利がある。
【図面の簡単な説明】
【図１】開蓋状態で示す本発明容器の斜視図である。
【図２】容器一部を切離し、かつ二つ折りして納豆かき混ぜ用のスティックとした状態で示す斜視図である。
【符号の説明】
１…容器本体        ３…第１周壁
６…薬味用トレー    11…蓋体
17…補助蓋板        18…折畳み線
【図１】
0003980219.tif 000002
【図２】
0003980219.tif 000003